(57)【要約】【課題】線状部材を設けることなく、耕耘軸への草や藁の長稈巻き付きを防止することができるロータリ耕耘装置の草藁巻付防止構造を提供すること。【解決手段】耕耘軸の外周面に、その軸線方向に間隔をあけて複数の耕耘爪取付体を突出状に取り付けて、各耕耘爪取付体に耕耘爪の基端部を取り付けたロータリ耕耘装置であって、耕耘軸の軸線方向に隣接する耕耘爪取付体間に、筒状の草藁巻付防止体を耕耘軸と同心円的に配置して、草藁巻付防止体により耕耘軸の外周面を被覆する。【選択図】図４
2015084738.tif 000002
【特許請求の範囲】
【請求項１】
耕耘軸の外周面に、その軸線方向に間隔をあけて複数の耕耘爪取付体を突出状に取り付けて、各耕耘爪取付体に耕耘爪の基端部を取り付けたロータリ耕耘装置であって、
耕耘軸の軸線方向に隣接する耕耘爪取付体間に、筒状の草藁巻付防止体を耕耘軸と同心円的に配置して、草藁巻付防止体により耕耘軸の外周面を被覆することを特徴とするロータリ耕耘装置の草藁巻付防止構造。
【請求項２】
筒状の草藁巻付防止体は、その内径を各耕耘爪取付体に各耕耘爪の基端部を取り付ける各取付ボルトの取付位置よりも大径となして、
耕耘軸と同心円的に配置した草藁巻付防止体により各取付ボルトが外方から被覆されることを特徴とする請求項１記載のロータリ耕耘装置の草藁巻付防止構造。
【請求項３】
草藁巻付防止体は、半円弧状に形成した一対の巻付防止片と、各巻付防止片の両端縁部に形成した接続部とを具備し、両巻付防止片の接続部同士を接続することで筒状となし、
接続された接続部同士は、巻付防止片の外周面より内方に陥没状に配置していることを特徴とする請求項１又は２記載のロータリ耕耘装置の草藁巻付防止構造。
【請求項４】
草藁巻付防止体の周縁部は、耕耘軸の周方向に隣接する耕耘爪取付体間に位置する部分を、耕耘軸の軸方向に隣接する草藁巻付防止体の周縁部側に延出させて延出周縁部となし、
隣接する延出周縁部同士は、耕耘軸の半径方向に重合状態となしていることを特徴とする請求項１〜３のいずれか１項記載のロータリ耕耘装置の草藁巻付防止構造。
【請求項５】
草藁巻付防止体の内周面と耕耘軸の外周面との間には、充填材を充填していることを特徴とする請求項１〜４のいずれか１項記載のロータリ耕耘装置の草藁巻付防止構造。
【発明の詳細な説明】
【技術分野】
【０００１】
本発明は、ロータリ耕耘装置の草藁巻付防止構造に関する。
【背景技術】
【０００２】
従来、ロータリ耕耘装置の一形態として、耕耘軸の外周面に、その軸線方向に間隔をあけて複数の耕耘爪取付体を突出状に取り付け、各耕耘爪取付体に耕耘爪の基端部を取り付けて、両最外側に位置する耕耘爪取付体間に取付ステーを介して耕耘軸と略同一長さの線状部材を横架したものがある（特許文献１参照）。
【０００３】
上記したロータリ耕耘装置では、雑草のすきこみや稲の刈取後の耕耘を行った際に、線状部材により耕耘軸に草や藁の長稈が巻き付くのを防止して、耕耘軸の回動抵抗が大きくなるのを抑制している。
【先行技術文献】
【特許文献】
【０００４】
【特許文献１】実開平４−１１０４０２
【発明の概要】
【発明が解決しようとする課題】
【０００５】
ところが、上記したロータリ耕耘装置では、線状部材に直接長稈が巻き付くことがあり、それが原因で耕耘軸の回動抵抗が大きくなって、耕耘効率が低下することがある。また、線状部材は、連結支持されている両端部に応力集中が生じて、連結部が損傷され易いという不具合を有しているとともに、圃場内の石等に衝突した際には破損され易いという不具合を有している。
【０００６】
そこで、本発明は、線状部材を設けることなく、耕耘軸への草や藁の長稈巻き付きを防止することができるロータリ耕耘装置の草藁巻付防止構造を提供することを目的とする。
【課題を解決するための手段】
【０００７】
請求項１記載の発明は、耕耘軸の外周面に、その軸線方向に間隔をあけて複数の耕耘爪取付体を突出状に取り付けて、各耕耘爪取付体に耕耘爪の基端部を取り付けたロータリ耕耘装置であって、耕耘軸の軸線方向に隣接する耕耘爪取付体間に、筒状の草藁巻付防止体を耕耘軸と同心円的に配置して、草藁巻付防止体により耕耘軸の外周面を被覆することを特徴とする。
【０００８】
請求項２記載の発明は、請求項１記載の発明であって、筒状の草藁巻付防止体は、その内径を各耕耘爪取付体に各耕耘爪の基端部を取り付ける各取付ボルトの取付位置よりも大径となして、耕耘軸と同心円的に配置した草藁巻付防止体により各取付ボルトが外方から被覆されることを特徴とする。
【０００９】
請求項３記載の発明は、請求項１又は２記載の発明であって、草藁巻付防止体は、半円弧状に形成した一対の巻付防止片と、各巻付防止片の両端縁部に形成した接続部とを具備し、両巻付防止片の接続部同士を接続することで筒状となし、接続された接続部同士は、巻付防止片の外周面より内方に陥没状に配置していることを特徴とする。
【００１０】
請求項４記載の発明は、請求項１〜３のいずれか１項記載の発明であって、草藁巻付防止体の周縁部は、耕耘軸の周方向に隣接する耕耘爪取付体間に位置する部分を、耕耘軸の軸方向に隣接する草藁巻付防止体の周縁部側に延出させて延出周縁部となし、隣接する延出周縁部同士は、耕耘軸の半径方向に重合状態となしていることを特徴とする。
【００１１】
請求項５記載の発明は、請求項１〜４のいずれか１項記載の発明であって、草藁巻付防止体の内周面と耕耘軸の外周面との間には、充填材を充填していることを特徴とする。
【発明の効果】
【００１２】
本発明によれば、耕耘軸の軸線方向に隣接する耕耘爪取付体間に筒状の草藁巻付防止体を配置して、草藁巻付防止体により耕耘軸の外周面を被覆することで、耕耘軸に草や藁の長稈が巻き付くのを堅実に防止することができて、耕耘軸の回動抵抗が大きくなるのを抑制することができる。そのため、すきこみ深さを良好に確保することができる。その結果、耕耘効率を良好に確保することができる。
【図面の簡単な説明】
【００１３】
【図１】本実施形態に係るロータリ耕耘装置と、それを牽引するトラクタの側面図。
【図２】ロータリ耕耘装置の側面説明図。
【図３】ロータリ耕耘装置の正面説明図。
【図４】図３のI-I線断面図。
【図５】図３のII-II線断面図。
【図６】草藁巻付防止体の分解斜視説明図。
【図７】草藁巻付防止体の展開平面説明図。
【図８】他実施形態としての草藁巻付防止体の取付状態断面図。
【図９】他実施形態としての草藁巻付防止体の斜視説明図。
【発明を実施するための形態】
【００１４】
以下に、本発明の実施形態を、図面を参照しながら説明する。すなわち、図１に示すＡは本発明に係るロータリ耕耘装置、Ｂはロータリ耕耘装置Ａを牽引するトラクタ，ＣはトラクタＢとロータリ耕耘装置Ａとを連結する３点リンク機構である。トラクタＢは、３点リンク機構Ｃを介してロータリ耕耘装置Ａを昇降自在に連結して、ロータリ耕耘装置Ａを牽引しながら走行可能としている。
【００１５】
次に、上記したロータリ耕耘装置ＡとトラクタＢと３点リンク機構Ｃの構成について、それぞれこの順番で説明する。
【００１６】
［ロータリ耕耘装置Ａの説明］
ロータリ耕耘装置Ａは、図１〜図３に示すように、相互に噛合する入・出力伝動ギヤ（図示せず）を収容した板金製のギヤボックス１０の左右側壁に、左右方向に軸線を向けた円筒状の左右側メインビーム１１,１２の内側端部を連通連結している。左側メインビーム１１の外側端部には上下方向に縦長の伝動ケース１３の上端部を連通連結する一方、右側メインビーム１２の外側端部には上下方向に縦長の軸受け体１４の上端部を連結し、伝動ケース１３の下端部と軸受け体１４の下端部との間に、左右方向に軸線を向けた耕耘軸１５をその軸線廻りに回動自在に横架状に軸架している。そして、ギヤボックス１０の前壁に開口した開口部１６から前後方向に軸線を向けた入力軸１７を突出させ、入力軸１７にはギヤボックス１０内に配設した入力伝動ギヤを連動連結している。左側メインビーム１１中には左右方向に軸線を向けた伝動軸１８を軸架しており、伝動軸１８の内側端部（右側端部）には出力伝動ギヤを連動連結するとともに、出力伝動ギヤと入力伝動ギヤとを噛合させて、伝動軸１８と入力軸１７とを連動連結している。伝動軸１８の外側端部（左側端部）には伝動ケース１３内に設けたチェン機構（図示せず）を介して耕耘軸１５の左側端部を連動連結している。耕耘軸１５の周面には多数の耕耘爪２２を軸線方向に間隔を開けて、かつ、周方向に位置ずれさせて取り付けている。
【００１７】
伝動ケース１３の上部と軸受け体１４の上部との間には、耕耘軸１５の上方を被覆するように円弧状に湾曲させて形成したロータリカバー２３を張設している。ロータリカバー２３の後端縁部には、リヤカバー２４の上端縁部（基端縁部）を枢支連結し、リヤカバー２４の下端縁部（先端縁部）を圃場面上に滑動させて、耕耘爪２２により耕耘された凹凸状の圃場面をリヤカバー２４により均平に整地するようにしている。
【００１８】
ロータリカバー２３とリヤカバー２４との間には、上下方向に軸線を向けた左右一対のハンガーロッド２５,２５を介設して、両ハンガーロッド２５,２５により圧縮スプリング２６，２６を介してリヤカバー２４を弾性支持している。圧縮スプリング２６は、ロータリ耕耘装置Ａが上昇された際に、リヤカバー２４に対して圧縮作用（押圧弾性付勢）することで、リヤカバー体１９が急激に下方へ回動するのを抑制して、リヤカバー２４が耕耘爪２２と干渉するのを防止している。２７はハンガーロッド２５の上部を支持する上部ステー、２８はハンガーロッド２５の下部を支持する下部ステーである。２９はリヤカバー２４の側方を閉塞するサイドカバーである。
【００１９】
ギヤボックス１０の上壁には、前上方へ向けて伸延する左右一対のトップリンク連結用ブラケット３０,３０の下端部を、左右方向に軸線を向けた枢軸３１を介して枢支連結している。トップリンク連結用ブラケット３０,３０の上部間には、左右方向に軸線を向けた上部連結用ピン３２を貫通状に横架している。
【００２０】
左側メインビーム１１の内側部には、前下方へ向けて伸延する左右一対のロワリンク連結用ブラケット３３,３３の後端部（基端部）を取り付け、ロワリンク連結用ブラケット３３,３３の前端部（先端部）には、左右方向に軸線を向けたロワリンク連結用ピン３４を貫通状に横架している。ロワリンク連結用ブラケット３３,３３の後部には、左右方向に軸線を向けた連結用ピン３５を貫通状に横架し、内側のロワリンク連結用ブラケット３３と左側のトップリンク連結用ブラケット３０との間には、連結用ピン３５とトップリンク連結用ピン３２を介して上下方向に伸延する補強ブラケット３６を介設している。
【００２１】
右側メインビーム１２の内側部には、前下方へ向けて伸延する左右一対のロワリンク連結用ブラケット４０,４０の後端部（基端部）を取り付け、ロワリンク連結用ブラケット４０,４０の前端部（先端部）には、左右方向に軸線を向けたロワリンク連結用ピン４１を貫通状に横架している。ロワリンク連結用ブラケット４０,４０の後部には、左右方向に軸線を向けた連結用ピン４２を貫通状に横架し、内側のロワリンク連結用ブラケット４０と右側のトップリンク連結用ブラケット３０との間には、連結用ピン４２とトップリンク連結用ピン３２を介して上下方向に伸延する補強ブラケット４３を介設している。
【００２２】
左側のロワリンク連結用ブラケット３３,３３と右側のロワリンク連結用ブラケット４０,４０との間には、左右方向に軸線を向けた連結ロッド４４を貫通状に横架して、左右側のロワリンク連結用ブラケット３３,３３,４０,４０を補強している。
【００２３】
耕耘軸１５には、図３〜図５に示すように、その同一円周上において、扁平筒状に形成した複数個（本実施形態では４個）の耕耘爪取付体５１を、円周方向に間隔をあけて半径方向に向けて突設している。そして、同一円周上に複数個突設された耕耘爪取付体５１の群を一つのユニットとして、耕耘軸１５の軸線方向に間隔をあけて多数のユニットを設けている。しかも、左右方向に隣接する各ユニットは、相互に耕耘軸１５の一側端部から他側端部へ向けて順次円周方向に僅かに位置ずれさせて配置している。そして、左右方向に隣接する耕耘爪取付体５１は、耕耘軸１５の周面上において同一の仮想の螺旋状の線上に配置されている。つまり、本実施形態では、４本の仮想の螺旋状の線上に、それぞれ多数個の耕耘爪取付体５１が耕耘軸１５の軸線方向に間隔をあけて配置されている。
【００２４】
各耕耘爪取付体５１には、突出端部（先端部）５１ａから単一の耕耘爪２２の基端部を挿入して、耕耘爪２２の基端部に形成したボルト孔（図示せず）と各耕耘爪取付体５１の側壁に形成したボルト挿通孔（図示せず）とを整合させるとともに、整合させた両孔中に取付ボルト５２ａを挿通してナット５２ｂを締結することで、各耕耘爪取付体５１にそれぞれ耕耘爪２２を取り付けている。
【００２５】
上記のように構成したロータリ耕耘装置Ａにおいて、耕耘軸１５の軸線方向に隣接する耕耘爪取付体５１,５１間には、筒状の草藁巻付防止体５０を耕耘軸１５と同心円的に配置して、草藁巻付防止体５０により耕耘軸１５の外周面を被覆している。本実施形態は、耕耘軸１５に取り付けた草藁巻付防止体５０の構成に特徴を有しており、以下に、この草藁巻付防止体５０の構成について図３〜図７を参照しながら詳説する。
【００２６】
すなわち、草藁巻付防止体５０は、円筒状に形成するとともに、その内径を各耕耘爪取付体５１に各耕耘爪２２の基端部を取り付ける各取付ボルト５２ａ及びナット５２ｂの取付位置よりも大径となして、各取付ボルト５２ａ及びナット５２ｂが、耕耘軸１５と同心円的に配置した草藁巻付防止体５０により外方から被覆されるようにしている。つまり、各取付ボルト及びナット５２ａ,５２ｂは、草藁巻付防止体５０により外方から被覆して露出しないようにすることで、突出部となる取付ボルトの頭部やナット５２ａ,５２ｂが、耕耘作業時に圃場に残置されている茎稈の巻付原因とならないようにしている。ここで、円筒状に形成している草藁巻付防止体５０は、その周長が耕耘作業時に圃場に残置されている茎稈の長さよりも大きくなるように外径を設定して、茎稈が草藁巻付防止体５０の外周面に巻き付かないようにしている。例えば、茎稈の長さが４０〜５０ｃｍと仮定した場合には、草藁巻付防止体５０の周長を５０ｃｍ以上に形成している。
【００２７】
草藁巻付防止体５０は、図６及び図７に示すように、半円筒状に形成した一対の巻付防止片５３,５３の両端部を対向状に接続して筒状となしている。巻付防止片５３は、その軸線方向の幅を、耕耘軸１５の軸線方向（左右方向）に隣接する耕耘爪取付体５１,５１同士の間隔Ｗ１と略同一幅に形成している。半円弧状に形成した各巻付防止片５３,５３の一側端縁部には、側面視「Ｖ」字状に折曲させて形成した一側接続部５３ａ,５３ａを設ける一方、各巻付防止片５３,５３の他側端縁部には、内方へ向けて突出させて形成した他側接続部５３ｂ,５３ｂを設けている。そして、一方の巻付防止片５３の他側接続部５３ｂの外面に、他方の巻付防止片５３の一側接続部５３ａの先端面部の内面を重合状態に面接させて、各接続部５３ａ,５３ｂに形成したボルト孔５３ｃ,５３ｄを整合させるとともに、整合するボルト孔５３ｃ,５３ｄ中に接続ボルト５５を挿通してナット５６に締結するようにしている。ナット５６は、他側接続部５３ｂの内面にボルト孔５３ｄに整合させて連設している。また、他方の巻付防止片５３の他側接続部５３ｂの外面に、一方の巻付防止片５３の一側接続部５３ａの先端面部の内面を重合状態に面接させて、各接続部５３ａ,５３ｂに形成したボルト孔５３ｃ,５３ｄを整合させるとともに、整合するボルト孔５３ｃ,５３ｄ中に接続ボルト５５を挿通してナット５６に締結するようにしている。ここで、接続された各接続部５３ａ,５３ｂ同士は、巻付防止片５３の外周面より内方に陥没状に配置されて、これらの外方には左右方向（草藁巻付防止体５０の軸線方向）に延伸する断面「Ｖ」字状の凹条溝５７が形成されている。各接続部５３ａ,５３ｂを締結して接続する接続ボルト５５の頭部は、凹条溝５７内に収容されて、巻付防止片５３の外周面から突出しないようにしている。つまり、接続ボルト５５の頭部が耕耘作業時に圃場に残置されている茎稈の巻付原因とならないようにしている。
【００２８】
各巻付防止片５３の左右側の周縁部は、耕耘軸１５の円周方向に隣接する耕耘爪取付体５１,５１間に位置する部分を、耕耘軸１５の軸方向に隣接する各巻付防止片５３の周縁部側にそれぞれ延出させて延出周縁部５３ｅ,５３ｅとなしている。耕耘軸１５の軸方向に隣接する延出周縁部５３ｅ,５３ｅ同士は、耕耘軸１５の半径方向に（内外周面を）重合状態に配置している。各延出周縁部５３ｅの延出幅Ｗ３は、耕耘軸１５の軸方向に形成される耕耘爪取付体５１の短副幅Ｗ２よりもやや広幅に形成している。
【００２９】
このように形成した両巻付防止片５３,５３の延出周縁部５３ｅ,５３ｅは、耕耘軸１５の円周方向に隣接する耕耘爪取付体５１,５１間において、内外周面が重合状態に接合されているため、延出周縁部５３ｅ,５３ｅ同士が相互に補強し合って接合部が強固となるとともに、円周方向に隣接する耕耘爪取付体５１,５１間に配置されて、草藁巻付防止体５０を位置決めする。つまり、草藁巻付防止体５０が耕耘軸１５の円周方向に移動されると、耕耘爪取付体５１に延出周縁部５３ｅ,５３ｅ同士が係合するため、草藁巻付防止体５０の円周方向への移動が規制される。
【００３０】
なお、両巻付防止片５３,５３は、可撓性素材により平板状に形成しておき、一方の巻付防止片５３の一側接続部５３ａと、他方の巻付防止片５３の他側接続部５３ｂとを接続するとともに、耕耘軸１５の周りに両巻付防止片５３,５３を屈曲させて、一方の巻付防止片５３の他側接続部５３ｂと、他方の巻付防止片５３の一側接続部５３ａとを接続することで、草藁巻付防止体５０となして組み付けることもできる。
【００３１】
このように構成して、耕耘軸１５を中心にしてその周囲において各巻付防止片５３の各接続部５３ａ,５３ｂ同士を接続ボルト５５とナット５６の締結により接続することで、筒状の草藁巻付防止体５０をロータリ耕耘装置Ａに軸架されている耕耘軸１５の周囲に組み付けることができる。そして、所要個数の草藁巻付防止体５０を耕耘軸１５の周囲にその軸線方向に順次連続的に組み付けして、所要個数の草藁巻付防止体５０により耕耘軸１５の全外周を被覆することができる。この際、草藁巻付防止体５０を形成する巻付防止片５３,５３の延出周縁部５３ｅ,５３ｅ同士は、耕耘軸１５の円周方向に隣接する耕耘爪取付体５１,５１間において、内外周面が重合状態に接合するように配置することで、延出周縁部５３ｅ,５３ｅ同士を相互に補強するとともに、草藁巻付防止体５０内への耕耘土等の侵入を抑制し、さらに、各巻付防止片５３の各接続部５３ａ,５３ｂ同士を接続する接続ボルト５５の頭部は、凹条溝５７内に収容することで、耕耘軸１５への茎稈の巻付を防止することができる。
【００３２】
図８及び図９は、変形例としての草藁巻付防止体５０を示している。すなわち、草藁巻付防止体５０は、その内周面と耕耘軸１５の外周面との間に、スポンジや発泡剤等の軽量な充填材５４を充填している。本実施形態では、各巻付防止片５３の内周面に、厚肉の半円筒状に形成した充填材５４を付着させている。ここで、充填材５４の肉厚は、組み付けられた草藁巻付防止体５０の内周面と耕耘軸１５の外周面との間隔と略同一に形成している。そして、充填材５４が付着された一対の巻付防止片５３,５３は、耕耘軸１５を挟むように接続して草藁巻付防止体５０を組み付けることで、草藁巻付防止体５０の内周面と耕耘軸１５の外周面との間に充填材５４が充填状態に配置される。このように形成された草藁巻付防止体５０内には、充填材５４が充填されているため、耕耘軸１５の回動負荷となる耕耘土等が草藁巻付防止体５０内に侵入するという不具合を防止することができる。
【００３３】
なお、本実施形態では、一対の巻付防止片５３,５３の両側端部を接続ボルト５５及びナット５６により締結しているが、一側端部は枢支連結しておくことで、他側端部のみを接続ボルト５５及びナット５６により締結して接続することもできる。この際、枢支連結部は、巻付防止片５３,５３の外周面よりも内方に配置することで、茎稈の巻き付きを防止する。また、一対の巻付防止片５３,５３の両接続部は、嵌合接続部となすことで、ワンタッチで一対の巻付防止片５３,５３の両側端部を接続可能とすることで、簡単かつ迅速に草藁巻付防止体５０を組み付けることもできる。
【００３４】
［トラクタＢの説明］
トラクタＢは、図１に示すように、左右一対の前車輪１００,１００と左右一対の後車輪１０１,１０１とにより走行機体１０２が支持されている。走行機体１０２は、エンジン支持機枠１０３上にエンジン１０４を搭載し、エンジン１０４の後端部に、前後方向に伸延する筒状のクラッチハウジング１０５の前端部を連結し、クラッチハウジング１０５の後端部にミッションケース１０６を連結して構成している。エンジン支持機枠１０３は、左右方向に伸延する筒状のフロントアクスルケース１０７を介して左右一対の前車輪１００,１００により支持されている。ミッションケース１０６は、その左右側壁から外側方へ向けて突設したリヤアクスルケース１０８,１０８を介して左右一対の後車輪１０１,１０１により支持されている。１０９は、フロントアクスルケース１０７中に軸架して、前車輪１００,１００に連動連結した前車軸である。１１０は、リヤアクスルケース１０８,１０８中に軸架して、後車輪１０１,１０１に連動連結した後車軸である。１１１は、エンジン１０４を開閉蓋自在に被覆しているボンネットである。
【００３５】
クラッチハウジング１０５及びミッションケース１０６の上には、運転部１１２を配設している。運転部１１２は、エンジン１０４の背後にダッシュボード１１３を設け、ダッシュボード１１３にハンドル１１４を取り付け、ハンドル１１４の後方に座席１１５を配置している。ミッションケース１０６上には、油圧昇降ケース１１６を載設し、油圧昇降ケース１１６の左右側壁には、左右方向に軸線を向けたリフトアーム回動支軸１１８を介して左右一対のリフトアーム１１７,１１７を後上方へ向けて突出させて、両リフトアーム１１７,１１７を昇降作動可能としている。１１９は油圧昇降ケース１１６の後壁に設けた連結片、１２０はミッションケース１０６上に配置した燃料タンク、１２１はリヤアクスルケース１０８,１０８間に跨架状に立設した門型のロプスフレームである。１２２はミッションケース１０６の後壁から後方へ突出させたＰＴＯ軸であり、ＰＴＯ軸１２２にドライブシャフト１２３を介してロータリ耕耘装置Ａに設けたギヤボックス１０を連動連結して、ロータリ耕耘装置Ａに耕耘動力を伝達するようにしている。
【００３６】
［３点リンク機構Ｃの説明］
３点リンク機構Ｃは、図１に示すように、前後方向に軸線を向けたトップリンク１３０及び左右一対のロワリンク１３１,１３１と、上下方向に軸線を向けた左右一対のリフトリンク１３２,１３２とを具備している。
【００３７】
トップリンク１３０は、トラクタＢの連結片１１９に前端部を連結する一方、ロータリ耕耘装置Ａに設けたトップリンク連結用ブラケット３０,３０の上端部間に上部連結用ピン（トップリンク連結用ピン）３２を介して後端部を連結している。左右一対のロワリンク１３１,１３１は、トラクタＢに設けたミッションケース１０６の左右側壁下部に、各前端部を連結する一方、ロータリ耕耘装置Ａに設けた左右一対のロワリンク連結用ブラケット３３,３３にロワリンク連結用ピン１３４,１３４を介して各後端部を連結している。
【符号の説明】
【００３８】
Ａ  ロータリ耕耘装置
Ｂ  トラクタ
Ｃ  ３点リンク機構
１５  耕耘軸
２２  耕耘爪
５０  草藁巻付防止体
５１  耕耘爪取付体
５３  巻付防止片
５３ａ  一側接続部
５３ｂ  他側接続部
５３ｅ  延出周縁部
５４  充填材
【図１】
2015084738.tif 000003
【図２】
2015084738.tif 000004
【図３】
2015084738.tif 000005
【図４】
2015084738.tif 000006
【図５】
2015084738.tif 000007
【図６】
2015084738.tif 000008
【図７】
2015084738.tif 000009
【図８】
2015084738.tif 000010
【図９】
2015084738.tif 000011